(57)【特許請求の範囲】
【請求項１】
光軸を前方へ向けた光源と、前記光源の前方に配置された導光体と、を備える灯具において、
前記導光体は、
前記光源と対向する位置に設けられ、前記光源から出射された光を前記光軸寄りに屈折させつつ当該導光体内へ入射させる入射面と、
前記入射面からの光を前方へ出射させる複数の透光面，及び，前記入射面からの光を前記光軸と直交する光軸直交方向に略沿うように内部反射させる複数の第一反射面が、前記光軸直交方向に沿って個別に交互に連なった階段状に形成され、前記入射面の前方に設けられた配光制御面と、
前記複数の第一反射面の前記光軸直交方向に設けられるとともに、前記配光制御面と前記光軸直交方向での位置が連なるように設けられ、前記複数の第一反射面で内部反射された光を前方へ個別に内部反射させる複数の第二反射面と、
前記複数の第二反射面の前方に設けられ、前記複数の第二反射面で内部反射された光を出射させる出射面と、
前記光軸及び前記光軸直交方向の何れにも直交する当該導光体の厚さ方向の端面のうち、前記出射面の近傍に、前記光軸直交方向に略沿って延在するとともに、その延在方向と直交する断面形状が略Ｖ字状となるように凹設された第二レンズカットと、
を有することを特徴とする灯具。
【請求項２】
光軸を前方へ向けた光源と、前記光源の前方に配置された導光体と、前方へ開口する屈曲板状に形成されたリフレクタと、を備える灯具において、
前記導光体は、
前記光源と対向する位置に設けられ、前記光源から出射された光を前記光軸寄りに屈折させつつ当該導光体内へ入射させる入射面と、
前記入射面からの光を前方へ出射させる複数の透光面，及び，前記入射面からの光を前記光軸と直交する光軸直交方向に略沿うように内部反射させる複数の第一反射面が、前記光軸直交方向に沿って個別に交互に連なった階段状に形成され、前記入射面の前方に設けられた配光制御面と、
前記複数の第一反射面の前記光軸直交方向に設けられるとともに、前記配光制御面と前記光軸直交方向での位置が連なるように設けられ、前記複数の第一反射面で内部反射された光を前方へ個別に内部反射させる複数の第二反射面と、
前記複数の第二反射面の前方に設けられ、前記複数の第二反射面で内部反射された光を出射させる出射面と、
を有し、
前記リフレクタは、その開口底面が反射面となっているとともに、当該開口底面のうちの中央に前後方向に貫通された挿通孔を有し、
前記導光体の前側部分が前記挿通孔に後方から通された状態で前記リフレクタの開口内に配置され、前記導光体の前記出射面が前記リフレクタの前記反射面よりも前側に位置していることを特徴とする灯具。
【請求項３】
前記出射面は、
前記複数の第二反射面の前方から前記配光制御面の前方に亘って設けられるとともに、
当該出射面から出射する光を前記光軸直交方向へ拡散させる複数のレンズカットを有していることを特徴とする請求項１または２に記載の灯具。
【請求項４】
前記導光体は、
前記光軸及び前記光軸直交方向の何れにも直交する当該導光体の厚さ方向における前記入射面の端部の前方に設けられ、当該入射面の端部からの光を、前記光軸直交方向の側方側，且つ，前記厚さ方向における当該導光体の中央側へ向けて内部反射させる第三反射面と、
前記第三反射面よりも前記光軸直交方向の側方側，且つ，前記厚さ方向における当該導光体の中央側であって、前記配光制御面の後方に設けられ、前記第三反射面で内部反射された光を前方へ内部反射させる第四反射面と、
を有することを特徴とする請求項１〜３の何れか一項に記載の灯具。
【請求項５】
前記導光体は、前記光軸及び前記光軸直交方向の何れにも直交する当該導光体の厚さ方向の端面のうち、前記出射面の近傍に、前記光軸直交方向に略沿って延在するとともに、その延在方向と直交する断面形状が略Ｖ字状となるように凹設された第二レンズカットを有することを特徴とする請求項２〜４の何れか一項に記載の灯具。
【発明の詳細な説明】
【技術分野】
【０００１】
本発明は、灯具に関する。
【背景技術】
【０００２】
従来、光源からの光を導光体で配光制御して、当該導光体を広く発光させる灯具が知られている。
この種の灯具として、例えば特許文献１に記載のものでは、図１２に示すように、光源１０１の前方に導光体１０２を配置し、光源１０１から導光体１０２内に入射させた光を第一反射面１０２ａ，１０２ａ及び第二反射面１０２ｂ，１０２ｂで左右両方向に広げつつ前方へ反射させて、左右方向に長尺な２つの出射面１０２ｃ，１０２ｃから出射させている。
【先行技術文献】
【特許文献】
【０００３】
【特許文献１】特開２００５−１５８３６２号公報
【発明の概要】
【発明が解決しようとする課題】
【０００４】
しかしながら、上記特許文献１に記載の灯具では、２つの出射面１０２ｃ，１０２ｃだけから光を出射させているため、当該灯具を前方から見たときに、２つの出射面１０２ｃ，１０２ｃだけが発光して、当該２つの出射面１０２ｃ，１０２ｃの間の領域がダーク部となってしまい、導光体１０２をライン状に発光させることができない。
【０００５】
本発明は、上記事情を鑑みてなされたもので、ライン状に発光する灯具の提供を課題とする。
【課題を解決するための手段】
【０００６】
上記課題を解決するために、請求項１に記載の発明は、
光軸を前方へ向けた光源と、前記光源の前方に配置された導光体と、を備える灯具において、
前記導光体は、
前記光源と対向する位置に設けられ、前記光源から出射された光を前記光軸寄りに屈折させつつ当該導光体内へ入射させる入射面と、
前記入射面からの光を前方へ出射させる複数の透光面，及び，前記入射面からの光を前記光軸と直交する光軸直交方向に略沿うように内部反射させる複数の第一反射面が、前記光軸直交方向に沿って個別に交互に連なった階段状に形成され、前記入射面の前方に設けられた配光制御面と、
前記複数の第一反射面の前記光軸直交方向に設けられるとともに、前記配光制御面と前記光軸直交方向での位置が連なるように設けられ、前記複数の第一反射面で内部反射された光を前方へ個別に内部反射させる複数の第二反射面と、
前記複数の第二反射面の前方に設けられ、前記複数の第二反射面で内部反射された光を出射させる出射面と、
前記光軸及び前記光軸直交方向の何れにも直交する当該導光体の厚さ方向の端面のうち、前記出射面の近傍に、前記光軸直交方向に略沿って延在するとともに、その延在方向と直交する断面形状が略Ｖ字状となるように凹設された第二レンズカットと、
を有することを特徴とする。
【０００７】
請求項２に記載の発明は、
光軸を前方へ向けた光源と、前記光源の前方に配置された導光体と、前方へ開口する屈曲板状に形成されたリフレクタと、を備える灯具において、
前記導光体は、
前記光源と対向する位置に設けられ、前記光源から出射された光を前記光軸寄りに屈折させつつ当該導光体内へ入射させる入射面と、
前記入射面からの光を前方へ出射させる複数の透光面，及び，前記入射面からの光を前記光軸と直交する光軸直交方向に略沿うように内部反射させる複数の第一反射面が、前記光軸直交方向に沿って個別に交互に連なった階段状に形成され、前記入射面の前方に設けられた配光制御面と、
前記複数の第一反射面の前記光軸直交方向に設けられるとともに、前記配光制御面と前記光軸直交方向での位置が連なるように設けられ、前記複数の第一反射面で内部反射された光を前方へ個別に内部反射させる複数の第二反射面と、
前記複数の第二反射面の前方に設けられ、前記複数の第二反射面で内部反射された光を出射させる出射面と、
を有し、
前記リフレクタは、その開口底面が反射面となっているとともに、当該開口底面のうちの中央に前後方向に貫通された挿通孔を有し、
前記導光体の前側部分が前記挿通孔に後方から通された状態で前記リフレクタの開口内に配置され、前記導光体の前記出射面が前記リフレクタの前記反射面よりも前側に位置していることを特徴とする。
請求項３に記載の発明は、請求項１または２に記載の灯具において、
前記出射面は、
前記複数の第二反射面の前方から前記配光制御面の前方に亘って設けられるとともに、
当該出射面から出射する光を前記光軸直交方向へ拡散させる複数のレンズカットを有していることを特徴とする。
【０００８】
請求項４に記載の発明は、請求項１〜３の何れか一項に記載の灯具において、
前記導光体は、
前記光軸及び前記光軸直交方向の何れにも直交する当該導光体の厚さ方向における前記入射面の端部の前方に設けられ、当該入射面の端部からの光を、前記光軸直交方向の側方側，且つ，前記厚さ方向における当該導光体の中央側へ向けて内部反射させる第三反射面と、
前記第三反射面よりも前記光軸直交方向の側方側，且つ，前記厚さ方向における当該導光体の中央側であって、前記配光制御面の後方に設けられ、前記第三反射面で内部反射された光を前方へ内部反射させる第四反射面と、
を有することを特徴とする。
【０００９】
請求項５に記載の発明は、請求項２〜４の何れか一項に記載の灯具において、
前記導光体は、前記光軸及び前記光軸直交方向の何れにも直交する当該導光体の厚さ方向の端面のうち、前記出射面の近傍に、前記光軸直交方向に略沿って延在するとともに、その延在方向と直交する断面形状が略Ｖ字状となるように凹設された第二レンズカットを有することを特徴とする。
【発明の効果】
【００１０】
本発明によれば、光源から入射面を通じて導光体内に入射して、当該導光体内を前方へ進んで配光制御面に入射した光のうち、複数の透光面に入射したものが、当該複数の透光面から前方へ出射される一方、複数の第一反射面に入射したものが、当該複数の第一反射面で光軸直交方向へ内部反射された後に、複数の第二反射面で前方へ個別に内部反射されて出射面から前方へ出射される。
このとき、配光制御面が複数の透光面と複数の第一反射面とを光軸直交方向に沿って個別に交互に連ねた階段状に形成されており、当該配光制御面と複数の第二反射面とが光軸直交方向での互いの位置を連ねるように設けられているので、配光制御面は、光軸直交方向に沿って断続的ながらも複数の透光面を発光させているとともに、複数の第二反射面の前方に位置する出射面と光軸直交方向での互いの位置が連なっている。
したがって、導光体を前方から見たときに、光軸直交方向に連なった出射面と配光制御面（複数の透光面）とを、ライン状に発光させることができる。
【図面の簡単な説明】
【００１１】
【図１】第一の実施形態における灯具の正面図である。
【図２】図１のII−II線での断面図である。
【図３】第二の実施形態における灯具の正面図である。
【図４】第二の実施形態における灯具の分解斜視図である。
【図５】図３のIII−III線での断面図である。
【図６】図３のIV−IV線での断面図である。
【図７】第二の実施形態における第二インナーレンズの斜視図である。
【図８】第二の実施形態における第二インナーレンズの（ａ）上面図であり、（ｂ）正面図であり、（ｃ）下面図である。
【図９】第二の実施形態における第二インナーレンズの（ａ）左側面図であり、（ｂ）右側面図である。
【図１０】第二の実施形態における配光制御面の拡大断面図である。
【図１１】第二の実施形態における傾斜面の拡大断面図である。
【図１２】従来の灯具の断面図である。
【発明を実施するための形態】
【００１２】
以下、本発明の実施形態について、図面を参照して説明する。
なお、以下の説明では、「前」「後」「左」「右」「上」「下」との記載は、本発明の各実施形態における灯具から見た方向を指すものとする。
【００１３】
［第一の実施形態］
図１は、本発明の第一の実施形態における灯具１の正面図であり、図２は、図１のII−II線での断面図である。
これらの図に示すように、灯具１は、光源２と、導光体３とを備えている。
このうち、光源２は、光軸Ａｘを前方へ向けた状態で基板２１上に実装されており、光軸Ａｘを中心に前方へ略放射状に光を出射させる。
【００１４】
導光体３は、光源２から出射された光を導光しつつ当該光によって発光するものであり、光源２の前方に配置されている。
導光体３の後部のうち、左右方向の中央には、後方へ突設された略円柱状の入光部３１が設けられている。この入光部３１の後端面は、光源２から出射された光を導光体３内へ入射させる入射面３１１となっている。入射面３１１は、光源２と対向する位置に設けられ、光軸Ａｘを回転対称軸として後方へ膨出する凸面状に形成されている。この入射面３１１は、その焦点に光源２が位置するように配設されており、光源２から出射された光を、光軸Ａｘ寄りに屈折させて当該光軸Ａｘに略沿った略平行光としつつ、導光体３内へ入射させる。
【００１５】
導光体３の前後方向の略中央には、当該導光体３を上下方向に貫通する平面視略四角形状の貫通孔３２が、入光部３１の前方に形成されている。この貫通孔３２の後面は、光軸Ａｘから左右方向へ離間するに連れて段階的に前方に位置する階段状にそれぞれ形成された１対の配光制御面３２１，３２１となっている。
１対の配光制御面３２１，３２１は、入射面３１１の前方に設けられており、光軸Ａｘ上の位置を基端として、前後方向と略直交する複数の透光面３２２，…と、光軸Ａｘに対し略４５°の角度をなして左右側方へ傾斜する複数の第一反射面３２３，…とが左右方向に沿って個別に交互に連なることで、上述のような階段状にそれぞれ形成されている。当該配光制御面３２１のうち、複数の透光面３２２，…は、入射面３１１からの光を前方（貫通孔３２内）へ出射させる。一方、複数の第一反射面３２３，…は、入射面３１１からの光を左右方向に略沿うように左右側方へ内部反射（全反射）させる。これら透光面３２２，…と第一反射面３２３，…とは、特に限定はされないが、左右方向に沿った幅が互いに略同一となっている。
また、貫通孔３２の前面は、前後方向と略直交する再入射面３２４となっている。この再入射面３２４は、透光面３２２，…から貫通孔３２内へ出射された光を、再び導光体３内に入射させる。
【００１６】
導光体３の後面のうち、入光部３１の左右両側には、それぞれ複数の第二反射面３３，…が形成されている。複数の第二反射面３３，…は、入光部３１の左右両側それぞれにおいて、１対の配光制御面３２１，３２１のうち何れか近い方の第一反射面３２３，…と平行になるように形成されている。この第二反射面３３，…は、前後方向と直交する段面３３ａと左右方向へ交互に連なって階段状の面（導光体３の後面）を構成している。また、第二反射面３３，…は、１対の配光制御面３２１，３２１と左右方向での位置が連なるように設けられている。つまり、第二反射面３３，…の左右方向内側（導光体３の内側）の端部と、配光制御面３２１，３２１の左右方向外側（導光体３の外側）の端部とは、左右方向の位置が互いに略一致している。当該第二反射面３３，…は、第一反射面３２３，…の左右側方に位置しており、当該第一反射面３２３，…で左右側方へ内部反射された光を前方へ個別に内部反射させる。
【００１７】
導光体３の前面は、再入射面３２４から当該導光体３内へ再入射した光と、第二反射面３３，…で前方へ内部反射された光とを出射させる出射面３４となっている。この出射面３４は、導光体３の左右両側の第二反射面３３，…の前方から配光制御面３２１，３２１（再入射面３２４）の前方に亘って、左右方向に沿って長尺に設けられている。また、出射面３４は、前後方向と略直交する基準面上に複数のレンズカット３４１，…が形成された面となっている。このレンズカット３４１，…は、出射面３４から出射される光を左右方向へ拡散させるためのものである。
【００１８】
続いて、灯具１の発光態様について説明する。
灯具１では、光源２から出射された光が、入射面３１１を通じて光軸Ａｘ寄りに屈折されつつ導光体３内に入射した後に、当該導光体３内を前方へ進んで配光制御面３２１，３２１に入射する。
【００１９】
配光制御面３２１に入射した光のうち、透光面３２２，…に入射したものは、当該透光面３２２，…から前方（貫通孔３２内）へ出射する。この光は、貫通孔３２内を前方へ進んで再入射面３２４から導光体３内に再入射した後に、出射面３４のうち、配光制御面３２１，３２１（再入射面３２４）の前方に位置する中央出射面３４ａから前方へ出射される。このとき、当該光は、中央出射面３４ａのレンズカット３４１，…によって左右方向へ拡散されつつ当該中央出射面３４ａから出射する。
【００２０】
一方、配光制御面３２１に入射した光のうち、第一反射面３２３，…に入射したものは、当該第一反射面３２３，…で左右側方へ内部反射される。第一反射面３２３，…で内部反射された光は、第二反射面３３，…で前方へ個別に内部反射された後に、出射面３４のうち、第二反射面３３，…の前方に位置する２つの端部出射面３４ｂ，３４ｂから前方へ出射される。このとき、当該光は、各端部出射面３４ｂのレンズカット３４１，…によって左右方向へ拡散されつつ当該端部出射面３４ｂから出射する。
こうして、光源２からの光によって、左右方向に長尺な出射面３４がライン状に発光する。
【００２１】
なお、透光面３２２，…から前方（貫通孔３２内）へ出射された光は、再入射面３２４から導光体３内に再入射させずに、そのまま灯具前方へ照射させてもよい。つまり、再入射面３２４及び中央出射面３４ａを設けずに、貫通孔３２が前方へ開口するように構成してもよい。このように構成した場合であっても、配光制御面３２１，３２１が、左右方向に沿って断続的ながらも複数の透光面３２２，…を発光させているとともに、第二反射面３３，…の前方に位置する２つの端部出射面３４ｂ，３４ｂと左右方向での互いの位置が連なっているので、灯具１（導光体３）を前方から見たときに、２つの端部出射面３４ｂ，３４ｂと配光制御面３２１，３２１（複数の透光面３２２，…）とが左右方向に連なる結果、ライン状の発光態様を実現することができる。
【００２２】
以上のように、灯具１によれば、配光制御面３２１，３２１が透光面３２２，…と第一反射面３２３，…とを左右方向に沿って個別に交互に連ねた階段状に形成されており、当該配光制御面３２１，３２１と第二反射面３３，…とが左右方向での互いの位置を連ねるように設けられているので、配光制御面３２１，３２１は、左右方向に沿って断続的ながらも複数の透光面３２２，…を発光させているとともに、第二反射面３３，…の前方に位置する２つの端部出射面３４ｂ，３４ｂとも左右方向での互いの位置が連なっている。
したがって、中央出射面３４ａを設けずに、貫通孔３２が前方へ開口するように構成した場合であっても、灯具１（導光体３）を前方から見たときに、左右方向に連なった２つの端部出射面３４ｂ，３４ｂと配光制御面３２１，３２１（複数の透光面３２２，…）とを、ライン状に発光させることができる。
【００２３】
また、出射面３４が、第二反射面３３，…の前方から配光制御面３２１，３２１の前方に亘って設けられるとともに、当該出射面３４から出射する光を左右方向へ拡散させるレンズカット３４１，…を有しているので、当該出射面３４をより均一に発光させることができる。
【００２４】
［第二の実施形態］
続いて、本発明の第二の実施形態について説明する。なお、上記第一の実施形態と同様の構成要素には同一の符号を付し、その説明を省略する。
【００２５】
図３は、本発明の第二の実施形態における灯具４の正面図であり、図４は、灯具４の分解斜視図であり、図５及び図６は、図３のIII−III線及びIV−IV線での断面図である。
これらの図に示すように、灯具４は、前面が開口したハウジング１０と、当該ハウジング１０の前面開口を覆う素通しのアウターレンズ１１とを備えている。これらハウジング１０とアウターレンズ１１とで形成される灯室内には、２つのＬＥＤ（発光ダイオード）５，５と、ブラケット６と、リフレクタ７と、第一インナーレンズ８と、第二インナーレンズ９とが収容されている。
【００２６】
２つのＬＥＤ５，５は、左右方向に沿って並設されており、それぞれの光軸Ａｘを前方へ向けた状態で共通の基板５１上に実装されている。
【００２７】
ブラケット６は、ＬＥＤ５，５及び第二インナーレンズ９を保持するための部材であり、前後方向と直交する平板状に形成されている。このブラケット６は、２つの挿通孔６１，６１に後方からＬＥＤ５，５を挿通させつつ、後面で基板５１を保持している。また、ブラケット６は、上下両方向に２本ずつ延出する４本の保持脚６２，…を有しており、当該保持脚６２，…が第二インナーレンズ９の４つの取付け部９９，…を介してリフレクタ７の後部に締結固定されることにより、第二インナーレンズ９をリフレクタ７に取り付けている。
【００２８】
リフレクタ７は、左右方向に沿って略一様に延在しつつ前方へ開口する屈曲板状に形成されており、その底面が反射面７１となっている。リフレクタ７の底面中央には、前後方向に貫通された挿通孔７２が形成されており、当該挿通孔７２には、第二インナーレンズ９の前半部が後方から挿通されて、リフレクタ７の開口内部に配置されるようになっている。
【００２９】
第一インナーレンズ８は、左右方向に沿って略一様に延在しつつ後方へ開口する素通しの屈曲板状に形成されている。この第一インナーレンズ８は、第二インナーレンズ９の前半部を覆った状態で、リフレクタ７の開口内に配置されている。
【００３０】
図７は、第二インナーレンズ９の斜視図であり、図８（ａ）〜（ｃ）は、第二インナーレンズ９の上面図，正面図，下面図であり、図９（ａ），（ｂ）は、第二インナーレンズ９の左側面図，右側面図である。
なお、図７〜図９では、第二インナーレンズ９のうち、上下方向へ立設された取付け部９９，…の図示を省略している。
【００３１】
図７〜図９に示すように、第二インナーレンズ９は、左右方向に沿って延在しつつ上下方向と直交する板状に形成されている。具体的には、第二インナーレンズ９は、２つのＬＥＤ５，５からの光を個別に導光する第一レンズ部９Ａ及び第二レンズ部９Ｂが、左右方向に沿って連結された形状となっている。
【００３２】
このうち、第一レンズ部９Ａは、対応するＬＥＤ５の前方に配置されており、その後部の左右方向中央には、後方へ突設された入光部９１が設けられている。この入光部９１の左右方向中央には、更に後方へ突設された略円柱状の先端入光部９５が設けられている。
【００３３】
先端入光部９５は、第一レンズ部９Ａの他の部分に比べて、上下方向（第二インナーレンズ９の厚さ方向）に沿った厚さが厚くなっている。より詳しくは、先端入光部９５を除く第一レンズ部９Ａの他の部分が、互いに平行な上面９ａ及び下面９ｂからなる一定厚さに形成されているのに対し、先端入光部９５は、当該他の部分の約２倍の厚さとなっているとともに、上下両端部が当該他の部分から上下方向へ均等に突出している。
【００３４】
先端入光部９５の後端面は、ＬＥＤ５から出射された光を第一レンズ部９Ａ内へ入射させる入射面９５１となっている。この入射面９５１は、上記第一の実施形態における入射面９５１と同様に構成されている。
【００３５】
先端入光部９５のうち、上面９ａ及び下面９ｂから上下方向へ突出した部分の前端面は、第三反射面９５２ａ及び第三反射面９５２ｂとなっている。
このうち、上面９ａから突出した第三反射面９５２ａは、前方に向かって左方へ傾斜するとともに、上方に向かって左方斜め後方へ傾斜している。この第三反射面９５２ａは、入射面９５１の上端部の前方に位置しており、当該上端部からの光を、左右方向では左側，且つ，上下方向では第一レンズ部９Ａ（第二インナーレンズ９）の中央側へ向けて、つまり左方斜め下方へ向けて、内部反射させる。
一方、下面９ｂから突出した第三反射面９５２ｂは、ＬＥＤ５の光軸Ａｘ（入射面９５１の回転対称軸）を対称軸として、第三反射面９５２ａと線対称に形成されている。したがって、当該第三反射面９５２ｂは、入射面９５１の下端部からの光を、右方斜め上方へ向けるように内部反射させる。
【００３６】
入光部９１の後面のうち、先端入光部９５の左右両側には、第四反射面９１２ａ及び第四反射面９１２ｂが設けられている。
このうち、先端入光部９５の左側に設けられた第四反射面９１２ａは、上面９ａから突出した第三反射面９５２ａと対応している。より詳しくは、第四反射面９１２ａは、第三反射面９５２ａよりも左右方向の左側，且つ，当該第三反射面９５２ａよりも第一レンズ部９Ａ（第二インナーレンズ９）の上下方向の中央側、つまり第三反射面９５２ａの左方斜め下方に設けられるとともに、当該第三反射面９５２ａと平行に形成されており、当該第三反射面９５２ａで左方斜め下方へ内部反射された光を、前方へ内部反射させる。
一方、先端入光部９５の右側に設けられた第四反射面９１２ｂは、下面９ｂから突出した第三反射面９５２ｂと対応している。この第四反射面９１２ｂは、第三反射面９５２ｂの右方斜め上方に設けられるとともに当該第三反射面９５２ｂと平行に形成されており、当該第三反射面９５２ｂで右方斜め上方へ内部反射された光を、前方へ内部反射させる。
【００３７】
第一レンズ部９Ａの前後方向の略中央には、当該第一レンズ部９Ａを上下方向に貫通する平面視略四角形状の貫通孔９２が、入光部９１の前方に形成されている。
貫通孔９２の後面は、上記第一の実施形態における１対の配光制御面３２１，３２１と略同様に形成された１対の配光制御面９２１，９２１となっている。但し、１対の配光制御面９２１，９２１は、第四反射面９１２ａ及び第四反射面９１２ｂを含む入光部９１全体の前方に設けられている。また、１対の配光制御面９２１，９２１を構成する複数の透光面９２２，…及び複数の第一反射面９２３，…は、図１０に示すように、上記第一の実施形態における複数の透光面３２２，…及び複数の第一反射面３２３，…と略同様に形成されてはいるものの、何れも極めて微細に形成されている。
また、図７〜図９に示すように、貫通孔９２の前面は、上記第一の実施形態における再入射面３２４と同様に形成された再入射面９２４となっている。
【００３８】
第一レンズ部９Ａの後面のうち、入光部９１の左右両側には、ＬＥＤ５の光軸Ａｘ（入射面９５１の回転対称軸）から離間するに連れて前方に位置するように傾斜した傾斜面９６がそれぞれ設けられている。この傾斜面９６は、図１１に示すように、厳密には単純に傾斜した面ではなく、複数の第二反射面９３，…と段面９３ａとが左右方向へ交互に連なった階段状の面となっている。複数の第二反射面９３，…及び段面９３ａは、上記第一の実施形態における複数の第二反射面３３，…及び段面３３ａと略同様に形成されてはいるものの、何れも極めて微細に形成されている。
【００３９】
図７〜図９に示すように、第一レンズ部９Ａの前面は、出射面９４となっている。この出射面９４は、第一レンズ部９Ａの左右両側の第二反射面９３，…の前方から配光制御面９２１，９２１（再入射面９２４）の前方に亘って、左右方向に略沿って長尺に設けられている。また、出射面３４は、前後方向と略直交しつつ後方へ緩やかに湾曲する基準面上に複数の第一レンズカット９４１，…が形成された面となっている。この第一レンズカット９４１，…は、左右方向に沿って並設された略鋸歯状のカットであり、出射面９４から出射される光を左右方向へ拡散させるためのものである。
【００４０】
第一レンズ部９Ａの上面９ａ及び下面９ｂのうち、出射面９４の近傍には、当該出射面９４に沿って延在する２列の第二レンズカット９４２，９４２がそれぞれ形成されている。各第二レンズカット９４２は、その延在方向と直交する断面形状が略Ｖ字状となるように上面９ａ又は下面９ｂに凹設されており、後述するように、再入射面９２４及び第二反射面９３，…から第一レンズ部９Ａ内を前方へ進む光のうち、上面９ａ又は下面９ｂ付近のものを、上下方向へ拡散させる。
【００４１】
第二レンズ部９Ｂは、前部に設けられた連結部９７を介して第一レンズ部９Ａの左側に連結されている。また、第二レンズ部９Ｂは、連結部９７を介して第一レンズ部９Ａと上面９ａ及び下面９ｂを共有している。
第二レンズ部９Ｂの後部の右端部には、第一レンズ部９Ａのものと同様に形成された入光部９１が設けられている。当該入光部９１は、第二レンズ部９Ｂと対応するＬＥＤ５の前方に配置されている。
【００４２】
この入光部９１の前方には、第一レンズ部９Ａのものと同様に形成された配光制御面９２１が設けられている。但し、この配光制御面９２１は、第一レンズ部９Ａのもののように１対ではなく、右側から左側に向かって前方へ傾斜した１つのみが設けられている。当該配光制御面９２１は、入光部９１左端の前方に位置する左端部で、連結部９７の後面の左端と繋がっている。この連結部９７の後面は、第一レンズ部９Ａのものと同様に形成された再入射面９２４となっている。
【００４３】
第二レンズ部９Ｂの後面のうち、入光部９１の左側には、第一レンズ部９Ａのものと同様に形成された傾斜面９６が設けられている。但し、この傾斜面９６は、右側から左側に向かって前方へ傾斜した１つのみが設けられている。
【００４４】
第二レンズ部９Ｂの前面は、第一レンズ部９Ａから連続した出射面９４となっている。また、この出射面９４の近傍の上面９ａ及び下面９ｂには、第一レンズ部９Ａから連続した２つの第二レンズカット９４２，９４２がそれぞれ形成されている。
【００４５】
続いて、灯具４の発光態様について説明する。
図５及び図６に示すように、灯具４では、２つのＬＥＤ５，５のうち右側のＬＥＤ５から出射された光が、第二インナーレンズ９のうち、当該ＬＥＤ５と対応する第一レンズ部９Ａの入射面９５１を通じて、光軸Ａｘ寄りに屈折されつつ第一レンズ部９Ａ内に入射する。
【００４６】
第一レンズ部９Ａ内に入射した光のうち、入射面９５１の上下方向中央から入射したものは、入光部９１を前方へ進んで配光制御面９２１，９２１に入射する。
一方、第一レンズ部９Ａ内に入射した光のうち、入射面９５１の上下両端部から入射したものは、先端入光部９５を前方へ進んだ後に、第三反射面９５２ａ，９５２ｂで左方斜め下方又は右方斜め上方へ内部反射されることにより、第一レンズ部９Ａの上下方向中央に集められる。第三反射面９５２ａ，９５２ｂで内部反射された当該光は、第四反射面９１２ａ，９１２ａで前方へ内部反射され、入光部９１を前方へ進んで配光制御面９２１，９２１に入射する。
【００４７】
配光制御面９２１に入射したこれらの光は、上記第一の実施形態における配光制御面３２１に入射した光と同様にして、出射面９４から出射する。
すなわち、配光制御面９２１に入射した光のうち、透光面９２２，…に入射したものが、貫通孔９２内へ出射されて再入射面９２４から第一レンズ部９Ａ内に再入射した後に、出射面９４のうち、配光制御面９２１，９２１（再入射面９２４）の前方に位置する部分から、第一レンズカット９４１，…によって左右方向へ拡散されつつ前方へ出射される。
一方、配光制御面９２１に入射した光のうち、第一反射面９２３，…に入射したものは、当該第一反射面９２３，…で左右側方へ内部反射され、第二反射面９３，…で前方へ更に内部反射された後に、出射面９４のうち、第二反射面９３，…の前方に位置する部分から、第一レンズカット９４１，…によって左右方向へ拡散されつつ前方へ出射される。
【００４８】
但し、再入射面９２４及び第二反射面９３，…から第一レンズ部９Ａ内を前方へ進む光のうち、上面９ａ又は下面９ｂ付近のものは、出射面９４の近傍で第二レンズカット９４２，…によって上下方向へ拡散されつつ前方へ出射される。具体的には、この光は、後側の第二レンズカット９４２で第一レンズ部９Ａの上下方向中央側へ内部反射された後に、当該第二レンズカット９４２とは上下反対側の面に形成された前側の第二レンズカット９４２から、前方へ屈折されつつ出射される。
【００４９】
また、２つのＬＥＤ５，５のうち左側のＬＥＤ５から出射された光は、第二インナーレンズ９のうち、当該ＬＥＤ５と対応する第二レンズ部９Ｂによって、第一レンズ部９Ａによるものと同様に導光され、出射面９４から左右方向へ拡散されつつ前方へ出射されるとともに、第二レンズカット９４２，…から上下方向へ拡散されつつ前方へ出射される。
【００５０】
こうして、２つのＬＥＤ５，５から出射された光が、左右方向に長尺な出射面９４及び第二レンズカット９４２，…から出射され、当該出射面９４及び第二レンズカット９４２，…がライン状に発光する。出射面９４及び第二レンズカット９４２，…から出射された光は、素通しの第一インナーレンズ８及びアウターレンズ１１を通じて灯具４の前方へ照射される。
【００５１】
以上のように、灯具４によれば、上記第一の実施形態における灯具１と同様の効果を奏することができる。
【００５２】
また、入射面９５１の上下両端部の前方に設けられ、入射面９５１の端部からの光を第二インナーレンズ９の上下方向の中央側へ内部反射させる第三反射面９５２ａ，９５２ｂと、第三反射面９５２ａ，９５２ｂよりも第二インナーレンズ９の上下方向の中央側であって配光制御面９２１の後方に設けられ、第三反射面９５２ａ，９５２ｂで内部反射された光を前方へ内部反射させる第四反射面９１２ａ，９１２ｂとにより、入射面９５１の上下両端部からの光を第二インナーレンズ９の上下方向中央に集めつつ、当該光を出射面９４及びその近傍から出射させることができる。したがって、入射面９５１から入射された全ての光を、当該入射面９５１よりも上下方向の厚さが薄い出射面９４及びその近傍から出射させることができ、ひいては、光束利用率を低下させることなく、出射面９４を入射面９５１よりも薄くすることができる。
【００５３】
また、出射面９４の近傍の上面９ａ及び下面９ｂに設けた第二レンズカット９４２，…により、出射面９４の近傍の上面９ａ又は下面９ｂ付近を前方へ進む光を、上下方向へ拡散させつつ前方へ出射させることができる。したがって、出射面９４だけを発光させるときよりも上下方向に幅広な発光態様を実現することができる。
【００５４】
また、出射面９４の各部分においては、配光制御面９２１を構成する透光面９２２及び第一反射面９２３のうち、当該部分の発光に寄与しない何れか一方に対応する領域がダーク部になるところ（例えば、出射面９４のうち配光制御面９２１の前方に位置する部分では、当該部分に光を向かわせていない第一反射面９２３，…に対応する各領域がダーク部になる）、これら透光面９２２，…及び第一反射面９２３，…が何れも極めて微細に形成されているので、出射面９４上のダーク部が微細になって視認しにくくなる結果、当該出射面９４をより均一に発光させることができる。
【００５５】
なお、本発明を適用可能な実施形態は、上述した第一の実施形態及び第二の実施形態に限定されることなく、本発明の趣旨を逸脱しない範囲で適宜変更可能である。
【００５６】
例えば、上記第一の実施形態において、光源２からの光が入射面３１１を通じて光軸Ａｘに沿った平行光とされない場合には、各透光面３２２及び各第一反射面３２３への光の入射角度が光軸Ａｘからの距離に応じて異なるため、これら透光面３２２，…及び第一反射面３２３，…は、当該入射角度が一様となるように、光軸Ａｘからの距離に応じて傾斜角度を異ならせてもよい。第一反射面３２３，…に対応する第二反射面３３，…についても同様である。また、第二の実施形態における透光面９２２，…，第一反射面９２３，…及び第二反射面９３，…についても同様である。
【符号の説明】
【００５７】
１          灯具
２          光源
Ａｘ      光軸
３          導光体
３１      入光部
３１１  入射面
３２１    配光制御面
３２２  透光面
３２３  第一反射面
３２４    再入射面
３３      第二反射面
３４      出射面
３４１  レンズカット
３４ａ  中央出射面
３４ｂ  端部出射面
４          灯具
５          ＬＥＤ（光源）
Ａｘ      光軸
９          第二インナーレンズ（導光体）
９ａ      上面（端面）
９ｂ      下面（端面）
９Ａ      第一レンズ部
９Ｂ      第二レンズ部
９１      入光部
９５    先端入光部
９５１  入射面
９５２ａ，９５２ｂ  第三反射面
９１２ａ，９１２ｂ  第四反射面
９２１    配光制御面
９２２  透光面
９２３  第一反射面
９２４    再入射面
９３      第二反射面
９４      出射面
９４１  第一レンズカット
９４２  第二レンズカット
９６      傾斜面
９７      連結部
【図１】
0005930630.tif 000002
【図２】
0005930630.tif 000003
【図３】
0005930630.tif 000004
【図４】
0005930630.tif 000005
【図５】
0005930630.tif 000006
【図６】
0005930630.tif 000007
【図７】
0005930630.tif 000008
【図８】
0005930630.tif 000009
【図９】
0005930630.tif 000010
【図１０】
0005930630.tif 000011
【図１１】
0005930630.tif 000012
【図１２】
0005930630.tif 000013